(57)【要約】【課題】初期照度補正値を自由に調整できるように、インバータ制御ＩＣ４外部に調整機能を付加して、各種放電灯の特性に応じて明るさを制御できるようにする。【解決手段】インバータ制御ＩＣ４は放電灯Ｌａの累積点灯時間を計測し、累積点灯時間に応じて放電灯Ｌａの調光率（初期照度補正値）を調整する。このとき、インバータ制御ＩＣ４は、まず、累積点灯時間に対応する調光率を電圧の大小で表わし、そして、電圧制御発振器を用いて電圧に応じた周波数で発振してインバータ回路３のスイッチング素子を制御する。ここで、分圧回路５はインバータ制御ＩＣ４の外部において調光率を表わす電圧を抵抗分圧して変更する。これにより、分圧回路５は各種放電灯Ｌａの特性に対応させて初期照度補正値を調整し放電灯Ｌａの明るさを制御できる。【選択図】図３
2007273338.tif 000002
【特許請求の範囲】
【請求項１】
放電灯が接続されるインバータ回路のスイッチング素子のスイッチング周波数を制御するスイッチング制御信号を出力する制御信号出力部と、
前記スイッチング周波数を決定する周波数設定信号を生成し、この生成した周波数設定信号を出力する出力部を有する周波数設定信号生成部と、
前記出力部から出力される前記周波数設定信号は補正され、この補正された周波数設定信号を入力するとともに前記制御信号出力部に出力する信号入力部と、
を備えることを特徴とするインバータ制御ＩＣ。
【請求項２】
前記周波数設定信号生成部は、前記放電灯に電力を供給する時間を累積し、この累積した時間に対応する調光度を算出する初期照度補正部を有し、この初期照度補正部によって算出される調光度に基づいて周波数設定信号を生成することを特徴とする請求項１に記載のインバータ制御ＩＣ。
【請求項３】
前記信号入力部に接続される入力端子と、
前記周波数設定信号生成部の信号を出力する出力部に接続される出力端子と、
を備えることを特徴とする請求項１または請求項２に記載のインバータ制御ＩＣ。
【請求項４】
放電灯が接続されるインバータ回路のスイッチング素子のスイッチング周波数を制御するスイッチング制御信号を出力する制御信号出力部と、
外部から補正する信号を入力する信号入力部と、
前記信号入力部から入力する信号に基づいて、前記スイッチング周波数を決定する周波数設定信号を生成し、この生成した周波数設定信号を前記制御信号出力部に出力する周波数設定信号生成部と、
を備えることを特徴とするインバータ制御ＩＣ。
【請求項５】
前記周波数設定信号生成部は、前記放電灯に電力を供給する時間を累積し、この累積した時間に対応する調光度を算出する初期照度補正部を有し、この初期照度補正部によって算出される調光度に基づいて周波数設定信号を生成することを特徴とする請求項４に記載のインバータ制御ＩＣ。
【請求項６】
前記信号入力部に接続される入力端子を備えることを特徴とする請求項５に記載のインバータ制御ＩＣ。
【請求項７】
請求項３に記載のインバータ制御ＩＣと、
前記出力端子から出力される信号に基づいて接続される前記放電灯に対応する補正信号を生成するとともに、生成した補正信号を前記入力端子に入力する補正回路と、
を備えることを特徴とする放電灯点灯装置。
【請求項８】
前記補正回路は、前記出力端子から出力される信号を分圧する分圧回路からなることを特徴とする請求項７に記載の放電灯点灯装置。
【請求項９】
請求項６に記載のインバータ制御ＩＣと、
接続される前記放電灯に対応する補正信号を生成するとともに、生成した補正信号を前記入力端子に入力する電圧発生回路と、
を備えることを特徴とする放電灯点灯装置。
【請求項１０】
請求項７〜請求項９のいずれかに記載の放電灯点灯装置を備えることを特徴とする照明器具。
【発明の詳細な説明】
【技術分野】
【０００１】
本発明は、例えば、照明器具において放電灯の明るさを制御する放電灯点灯装置が備えるインバータ制御ＩＣに関するものである。
【背景技術】
【０００２】
放電灯点灯装置には、初期照度補正機能のような光出力の制御機能を有するインバータ制御ＩＣ（Ｉｎｔｅｇｒａｔｅｄ  Ｃｉｒｃｕｉｔ）を搭載したものがある（例えば、特許文献１）。
【特許文献１】特開２００５−５０６４７号公報
【発明の開示】
【発明が解決しようとする課題】
【０００３】
初期照度補正機能のような光出力の制御機能を有するインバータ制御ＩＣを搭載した従来の放電灯点灯装置では、放電灯の光出力を制御することができるのは、インバータ制御ＩＣの内部にあらかじめ設定されている初期照度補正値のみとなっている。
このため、特性の異なる放電灯について明るさを設定しようとした場合、従来の放電灯点灯装置では十分な設定が行えなくなり、インバータ設計が困難になるという課題があった。
【０００４】
本発明は、例えば、初期照度補正値を自由に調整できるように、インバータ制御ＩＣ外部に調整機能を付加して、各種放電灯の特性に応じて明るさを制御することができる点灯装置を提供できるようにすることを目的とする。
【課題を解決するための手段】
【０００５】
本発明のインバータ制御ＩＣは、放電灯が接続されるインバータ回路のスイッチング素子のスイッチング周波数を制御するスイッチング制御信号を出力する制御信号出力部と、前記スイッチング周波数を決定する周波数設定信号を生成し、この生成した周波数設定信号を出力する出力部を有する周波数設定信号生成部と、前記出力部から出力される前記周波数設定信号は補正され、この補正された周波数設定信号を入力するとともに前記制御信号出力部に出力する信号入力部とを備えることを特徴とする。
【発明の効果】
【０００６】
本発明によれば、インバータ制御ＩＣが分圧回路を接続し、分圧回路で分圧された電圧に基づいてインバータ回路を制御するため、例えば、インバータ制御ＩＣは分圧回路を用いて初期照度補正値を自由に調整でき、本インバータ制御ＩＣを搭載した放電灯点灯装置は各種放電灯の特性に応じて明るさを制御することができる。
【発明を実施するための最良の形態】
【０００７】
実施の形態１．
図１は、照明器具１００の構成図である。
図２は、放電灯点灯装置２００の構成図である。
図１に照明器具１００の一般的な構成を示し、図２に放電灯点灯装置２００の一般的な構成を示す。
照明器具１００はランプソケット１０２に放電灯Ｌａを取り付けられ、器具本体１０１に内蔵された図２に示すような放電灯点灯装置２００により放電灯Ｌａの光出力（点灯、調光率、明るさ［照度］）を制御する。
全波整流回路２は商用電源１から交流電源を入力し、入力した交流電源を交流から脈流に整流する回路である。全波整流回路２はダイオードブリッジで構成され、交流波形のマイナス部分をプラスに変換して交流電源を全波整流する。
インダクタＬ１、ダイオードＤ１、コンデンサＣ１、スイッチング素子Ｑ１は昇圧チョッパ回路を構成する。昇圧チョッパ回路はインバータ制御ＩＣ４によりスイッチング素子Ｑ１がスイッチングされ、スイッチング素子Ｑ１のスイッチングによりインダクタＬ１とコンデンサＣ１とで充電と放電とを行って、整流電圧の波形を平滑化し、また、整流電圧を昇圧する回路である。例えば、放電灯点灯装置２００の電源電圧が２００Ｖ（ボルト）や２５４Ｖで入力された場合は４００Ｖ程度の整流電圧となって出力される。
スイッチング素子Ｑ２、スイッチング素子Ｑ３はインバータ回路を構成する。インバータ回路はインバータ制御ＩＣ４によりスイッチング素子Ｑ２とスイッチング素子Ｑ３とを高周波で交互にスイッチングされ、昇圧チョッパ回路が平滑化し昇圧した整流電圧を高周波でスイッチングする回路である。
コンデンサＣ２、インダクタＬ２、放電灯Ｌａ、コンデンサＣ３は負荷回路を構成する。負荷回路は、インダクタＬ２、コンデンサＣ３により共振回路を構成し、インバータ回路によって制御された発振周波数によって、放電灯Ｌａを点灯させる回路である。
【０００８】
インバータ制御ＩＣ４は制御用電源１０が出力する電源電圧により駆動し、初期照度補正機能を有してインバータ回路のスイッチング素子Ｑ２とスイッチング素子Ｑ３の発振周波数を制御する回路である。インバータ制御ＩＣ４はインバータ回路のスイッチング素子Ｑ２とスイッチング素子Ｑ３の発振周波数を制御することにより放電灯Ｌａの光出力を制御する。
【０００９】
図３は、実施の形態１における放電灯点灯装置２００の構成図である。
実施の形態１における放電灯点灯装置２００は分圧回路５を有する点を特徴とする。
分圧回路５はインバータ制御ＩＣ４から出力される制御信号６（周波数設定信号）を補正し、インバータ制御ＩＣ４に制御信号７（周波数設定信号）を戻す補正回路である。
インバータ制御ＩＣ４は分圧回路５から戻された制御信号７に基づいてインバータ回路３を制御することで、放電灯Ｌａの光出力を制御する。
【００１０】
インバータ回路３は、例えば、図２に示したスイッチング素子Ｑ２とスイッチング素子Ｑ３との構成で放電灯Ｌａの発振周波数を制御し、放電灯Ｌａを点灯させる。また、全波整流回路２は１つのダイオードで構成された半波整流回路などの整流回路であっても構わず、昇圧チョッパ回路や負荷回路なども他の構成であっても構わない。
放電灯点灯装置２００はインバータ制御により放電灯Ｌａの光出力を制御する装置である。
【００１１】
図４は、実施の形態１におけるインバータ制御ＩＣ４および分圧回路５の構成図である。
実施の形態１におけるインバータ制御ＩＣ４と分圧回路５について図４に基づいて以下に説明する。
【００１２】
インバータ制御ＩＣ４は初期照度補正部１１、発振器部１３および分圧回路接続部２０１を備える。
初期照度補正部１１は放電灯Ｌａの調光率（初期照度補正値）の調整を行う周波数設定信号生成部である。放電灯Ｌａには、累積点灯時間の経過と共に光束量が減衰し、同一の調光率で点灯させた場合に累積点灯時間の経過と共に明るさ（照度）が低下するという特性がある。そこで、初期照度補正部１１は、放電灯Ｌａの累積点灯時間を計測し、累積点灯時間に応じて放電灯Ｌａの調光率（光出力）を高めていくように制御信号６を出力し、明るさ（照度）を一定に制御する。
図５は、実施の形態１における初期照度補正部１１の構成図である。
マイコン１４は累積点灯時間に対応させた放電灯Ｌａの調光率を初期照度補正値としてマイコン１４の記憶機器にあらかじめ記憶している。
例えば、マイコン１４は第１の所定の時間（約１００００時間）までの累積点灯時間に対応させて調光率“７５％”を記憶し、第１の所定の時間経過時から放電灯Ｌａの寿命である第２の所定の時間（約１８，０００時間）までの累積点灯時間に対応させて調光率“１００％”を記憶する。
また、マイコン１４は、例えば次のように累積点灯時間を計測する。マイコン１４は商用電源１（図２参照）が放電灯Ｌａの電力として出力した電源電圧の電圧波形が「０Ｖ」を示すタイミング（ゼロクロスタイミング）を計数し、計数値にゼロクロスタイミング１回当たりの時間を乗じることで累積点灯時間を計測する。まず、交流波の商用電源１周期にはゼロクロスタイミングが位相１８０度と位相３６０度との２回あるため、電源電圧が５０Ｈｚ（ヘルツ）の交流波の場合、ゼロクロスタイミング１回当たりの時間は「０．０１秒（＝１［秒］／（５０［Ｈｚ］×全波整流回路２［回］））」になる。ここで、マイコン１４はゼロクロスタイミングを３６００００回計数した場合、累積点灯時間を「１時間（＝３６００秒＝３６００００［回］×０．０１［秒］）」と算出する。
そして、マイコン１４は累積点灯時間に対応する調光率を記憶機器から取得し、調光率をデジタルデータ（例えば、８ビットのデータ）にしてＤ／Ａ変換器１５に出力する。
Ｄ／Ａ変換器１５はマイコン１４から入力した調光率を示すデジタルデータをアナログデータに変換する。このとき、Ｄ／Ａ変換器１５は、電源電圧の範囲内で電圧の大小により調光率を表わし、調光率を表わす電圧（特定電圧）を持つ制御信号６（周波数設定信号）を出力する。例えば、１０Ｖの電源電圧をＤ／Ａ変換器１５に出力する場合、Ｄ／Ａ変換器１５は７．５Ｖの制御信号６を出力して調光率７５％を表わし、電源電圧１０Ｖの制御信号６を出力して調光率１００％を表わす。
【００１３】
図４において、インバータ制御ＩＣ４は初期照度補正部１１が出力した制御信号６（周波数設定信号）を発振器部１３に伝達させる前に分圧回路接続部２０１から分圧回路５に出力し、分圧回路５によって補正された制御信号７を発振器部１３に入力する。
【００１４】
分圧回路接続部２０１は制御信号６をインバータ制御ＩＣ４の外部（分圧回路５）に一旦出力する出力端子であり、制御信号７をインバータ制御ＩＣ４の外部から入力する入力端子、信号入力部である。
【００１５】
分圧回路５は抵抗Ｒ１と可変抵抗Ｘ１とを有し、入力信号を抵抗Ｒ１と可変抵抗Ｘ１とで抵抗分圧して出力する。つまり、分圧回路５はインバータ制御ＩＣ４から制御信号６（周波数設定信号）を入力し、抵抗Ｒ１と可変抵抗Ｘ１とで抵抗分圧した制御信号６を制御信号７（補正信号）としてインバータ制御ＩＣ４に出力する。このとき、分圧回路５は制御信号６（周波数設定信号）の入力と制御信号７（補正信号）の出力とを分圧回路接続部２０１を介して行う。また、制御信号７の電圧は制御信号６の「ｘ１／（ｒ１＋ｘ１）」倍の電圧となる。ここで、ｒ１は抵抗Ｒ１の抵抗値を示し、ｘ１は可変抵抗Ｘ１の抵抗値を示す。例えば、抵抗Ｒ１のｒ１を２０ｋΩ（キロオーム）の固定値とし、可変抵抗Ｘ１のｘ１を０〜２０ｋΩの可変値とし、分圧回路５はｘ１を変更することにより制御信号６の０〜１／２倍の電圧を持つ制御信号７を出力する。つまり、分圧回路５の分圧割合は可変である。
また、分圧回路５は抵抗Ｒ１と可変抵抗Ｘ１とを逆に備えてもよい。このとき、制御信号７の電圧は制御信号６の「ｒ１／（ｘ１＋ｒ１）」倍の電圧となり、分圧回路５は制御信号６の１／２倍〜１倍の電圧を持つ制御信号７を出力することになる。
また、ｒ１とｘ１とはその他の値でもよく、また、ｒ１とｘ１との値の比率（大小関係）はその他の比率でもよい。
また、抵抗Ｒ１を可変抵抗Ｘ１と同様に可変抵抗にすることで、出力できる制御信号７の電圧範囲を広げてもよい。
また、可変抵抗Ｘ１を抵抗Ｒ１と同様にｘ１を固定とする抵抗にし、異なるｒ１とｘ１との抵抗値を持つ複数の分圧回路５の中から１つの分圧回路５を選択して、選択した分圧回路５を分圧回路接続部２０１に接続しインバータ制御ＩＣ４に取り付けてもよい。
【００１６】
上記のように、初期照度補正部１１にあらかじめ設定された初期照度補正値（累積点灯時間に対応した放電灯Ｌａの調光率）を用いることにより、インバータ制御ＩＣ４は特定の放電灯Ｌａに対しては累積点灯時間に応じて調光率を調整し明るさを一定に保つことができる。
しかし、放電灯Ｌａは規格により消費電力や発色の種類（３波長形など）などの特性・種類が異なり、特性・種類が異なる放電灯Ｌａでは調光率に対する明るさや累積点灯時間の経過に伴う光束の減衰量も異なる。つまり、初期照度補正部１１にあらかじめ設定された初期照度補正値だけでは各種放電灯Ｌａの光出力を十分に制御することはできない。
ここで、分圧回路５は制御信号６の電圧を放電灯Ｌａの特性・種類に応じて変更した制御信号７を出力するため、初期照度補正部１１にあらかじめ設定された初期照度補正値をインバータ制御ＩＣ４の外部から調整することとなり、特性・種類が異なる各種放電灯Ｌａに対して光出力を十分に制御することができる。
【００１７】
発振器部１３は制御信号７（補正信号）を入力し、制御信号７に対応した周波数を発振してインバータ回路３の発振周波数を制御する制御信号出力部である。発振器部１３はインバータ回路３の発振周波数を制御することにより、放電灯Ｌａの光出力を制御する。例えば、発振器部１３はＶＣＯ（Ｖｏｌｔａｇｅ−Ｃｏｎｔｒｏｌｌｅｄ  Ｏｓｃｉｌｌａｔｏｒ：電圧制御発振器）で構成され、制御信号７の電圧に応じてスイッチング制御信号を出力して５００００Ｈｚ〜８００００Ｈｚのスイッチング周波数でインバータ回路３をスイッチングする。また例えば、発振器部１３は制御信号７の電圧が大きいほどインバータ回路３をスイッチングする周波数を低くし放電灯Ｌａを明るく点灯させる。
【００１８】
実施の形態１において以下のような放電灯点灯装置２００について説明した。
商用電源１を直流に変換する全波整流回路２と、全波整流回路２の直流（整流）を平滑し、昇圧する昇圧チョッパ回路と、昇圧チョッパ回路の出力を受けて放電灯Ｌａを高周波点灯させるインバータ回路３と、インバータ回路３のスイッチング素子の駆動を制御するインバータ制御ＩＣ４と、インバータ制御ＩＣ４から出力される制御信号６を入力してインバータ制御ＩＣ４に戻す分圧回路５とを備える放電灯点灯装置２００であり、インバータ制御ＩＣ４は補正された制御信号７により放電灯Ｌａの光出力を制御可能とした放電灯点灯装置２００。
【００１９】
また、実施の形態１ではインバータ制御ＩＣ４が以下のような構成要素を備えることについて説明した。
（１）特定電圧を持つ制御信号６（周波数設定信号）を入力してある割合で制御信号６の電圧を分圧して、分圧した制御信号７（補正信号）を出力する分圧回路５を接続する分圧回路接続部２０１であり、制御信号６を入力し、入力した制御信号６を分圧回路５に出力し分圧回路５から制御信号７を入力し入力した制御信号７を出力する分圧回路接続部２０１。
（２）前記分圧回路接続部２０１から制御信号７を入力し入力した制御信号７に対応する周波数でインバータ回路３を制御する発振器部１３。
（３）放電灯Ｌａの累積点灯時間を計数し計数した累積点灯時間に対応する制御信号６を前記分圧回路接続部２０１に出力する初期照度補正部１１。
【００２０】
また、実施の形態１では分圧回路５が以下のような特徴を持つことについて説明した。
（１）分圧回路５はインバータ制御ＩＣ４に外付けする。
（２）分圧回路５は分圧割合が可変である。
【００２１】
また、実施の形態１ではインバータ制御ＩＣ４を備える放電灯点灯装置２００および放電灯点灯装置２００（インバータ制御ＩＣ４を含む）を備える照明器具１００について説明した。
【００２２】
以上のように、インバータ制御ＩＣ４は外部に端子（分圧回路接続部２０１）を設けることによって、各種放電灯Ｌａの特性に応じて放電灯Ｌａの明るさを制御することができる。つまり、実施の形態１により、各種放電灯Ｌａの特性に応じて明るさを制御する放電灯点灯装置２００、照明器具１００を提供することができる。
【００２３】
実施の形態２．
実施の形態２における放電灯点灯装置２００について、前記実施の形態１と異なる事項について説明し、説明しない事項については前記実施の形態１と同様であるものとする。
【００２４】
図６は、実施の形態２における放電灯点灯装置２００の構成図である。
図７は、実施の形態２におけるインバータ制御ＩＣ４および電圧発生回路８の構成図である。
実施の形態２におけるインバータ制御ＩＣ４と電圧発生回路８について図６、図７に基づいて以下に説明する。
【００２５】
実施の形態２における放電灯点灯装置２００は図６に示すように電圧発生回路８を有する点を特徴とする。
図７に示すように、電圧発生回路８は、前記実施の形態１における分圧回路５と同様に、入力した電圧を抵抗Ｒ１と可変抵抗Ｘ１とで分圧して出力する分圧回路である。
電圧発生回路８は制御用電源１０が出力した電源電圧（特定電圧を持つ電圧信号Ｂ）を入力とし、分圧した電源電圧を補正電圧９（分圧信号）として初期照度補正部１１に出力する。
電圧発生回路８は、前記実施の形態１における分圧回路５と同様に、分圧回路接続部２０１を介してインバータ制御ＩＣ４の外部においてインバータ制御ＩＣ４に接続する。
【００２６】
前記実施の形態１では初期照度補正部１１が出力する制御信号を補正したが、図７に示すように実施の形態２では初期照度補正部１１は電圧発生回路８が分圧した補正電圧９（分圧信号）を入力する。そして、前記実施の形態１と同様に、初期照度補正部１１は放電灯Ｌａの累積点灯時間に対応する調光率を示す制御信号６（周波数設定信号）を発振器部１３に出力する。
初期照度補正部１１は、前記実施の形態１と同様に、制御信号６の電圧の大小により調光率を表わす。
前記実施の形態１では、初期照度補正部１１が出力する制御信号の電圧（例えば、１０Ｖ）の範囲で初期照度補正値を調整し、例えば、７５％の明るさに設定するために７．５Ｖの制御信号７を出力し、１００％の明るさに設定するために制御用電源１０Ｖの制御信号７を出力した。
しかし、実施の形態２では、初期照度補正部１１は電圧発生回路８が分圧した補正電圧９の範囲で初期照度補正値を調整する。例えば、電圧発生回路８が制御用電源１０の電源電圧（例えば、制御用電源１０Ｖ）を１／２倍に分圧して補正電圧９を出力した場合、初期照度補正部１１は５０％の明るさに設定され、１００％の明るさに設定するためには１０Ｖの補正電圧９を出力する。
つまり、電圧発生回路８は、前記実施の形態１と同様に、発振器部１３がインバータ回路３のスイッチングの制御に使用する制御信号６（前記実施の形態１における制御信号７）をインバータ制御ＩＣ４の外部から調整することができる。これにより、電圧発生回路８は、前記実施の形態１と同様に、特性が異なる各種放電灯Ｌａに対して光出力を十分に制御することができる。
【００２７】
実施の形態２において以下のような放電灯点灯装置２００について説明した。
本実施の形態に係る放電灯点灯装置２００は、前記実施の形態１における分圧回路５の代わりに、制御信号６を補正するための補正電圧９を発生する電圧発生回路８をインバータ制御ＩＣ４の外部に接続する。
つまり、電源発生回路（電圧発生回路８）によって作られた補正電圧９をインバータ制御ＩＣ４の外部に設けた端子（分圧回路接続部２０１）を介して初期照度補正部１１に入力し、制御信号６を発振器部１３に伝達させることにより放電灯Ｌａの光出力を制御することを可能にした放電灯点灯装置２００について説明した。
【００２８】
また、実施の形態２ではインバータ制御ＩＣ４が以下のような構成要素を備えることについて説明した。
（１）特定電圧を持つ制御用電源１０の電源電圧（電圧信号Ｂ）を入力してある割合で電源電圧を分圧して分圧した補正電圧９を出力する電圧発生回路８（分圧回路）を接続する分圧回路接続部２０１であり、電源電圧を入力し、入力した電源電圧を電圧発生回路８に出力し、電圧発生回路８から補正電圧９を入力し、入力した補正電圧９を出力する分圧回路接続部２０１。
（２）放電灯Ｌａの累積点灯時間を計数し計数した累積点灯時間に対応する電圧を持つ制御信号６を出力する初期照度補正部１１であり、電圧発生回路８が出力した補正電圧９の累積点灯時間に対応する電圧の大きさを比例（対応）させて累積点灯時間に対応する電圧を持つ制御信号６を出力する初期照度補正部１１。
（３）初期照度補正部１１が出力した制御信号６の電圧に対応する周波数でインバータ回路３を制御する発振器部１３。
【００２９】
本実施の形態の放電灯点灯装置２００を用いれば、前記実施の形態１と同様に、インバータ制御ＩＣ４は外部に端子（分圧回路接続部２０１）を設けることによって、各種放電灯Ｌａの特性に応じて明るさを制御することができる。つまり、実施の形態２により、各種放電灯Ｌａの特性に応じて明るさを制御する放電灯点灯装置２００、照明器具１００を提供することができる。
【図面の簡単な説明】
【００３０】
【図１】照明器具１００の構成図。
【図２】放電灯点灯装置２００の構成図。
【図３】実施の形態１における放電灯点灯装置２００の構成図。
【図４】実施の形態１におけるインバータ制御ＩＣ４および分圧回路５の構成図。
【図５】実施の形態１における初期照度補正部１１の構成図。
【図６】実施の形態２における放電灯点灯装置２００の構成図。
【図７】実施の形態２におけるインバータ制御ＩＣ４および電圧発生回路８の構成図。
【符号の説明】
【００３１】
１  商用電源、２  全波整流回路、３  インバータ回路、４  インバータ制御ＩＣ、５  分圧回路、６，７  制御信号、８  電圧発生回路、９  補正電圧、１０  制御用電源、１１  初期照度補正部、１３  発振器部、１４  マイコン、１５  Ｄ／Ａ変換器、１００  照明器具、１０１  器具本体、１０２  ランプソケット、２００  放電灯点灯装置、２０１  分圧回路接続部、Ｌ１，Ｌ２  インダクタ、Ｄ１  ダイオード、Ｃ１，Ｃ２，Ｃ３  コンデンサ、Ｑ１，Ｑ２，Ｑ３  スイッチング素子、Ｌａ  放電灯、Ｆ１，Ｆ２  フィラメント、Ｒ１  抵抗、Ｘ１  可変抵抗。
【図１】
2007273338.tif 000003
【図２】
2007273338.tif 000004
【図３】
2007273338.tif 000005
【図４】
2007273338.tif 000006
【図５】
2007273338.tif 000007
【図６】
2007273338.tif 000008
【図７】
2007273338.tif 000009